(57)【特許請求の範囲】
【請求項１】
カメラボディに装着する電子カメラバックにおいて、
前記カメラボディに装着された状態で、前記カメラボディの矩形状の開口部を通過した光による被写体像を撮像する撮像素子と、
前記撮像素子を固定する固定部と、
前記固定部に設けられた位置決め部と、
前記固定部と間隔をもって配置されたカメラバック部と、
前記開口部の第１の辺に接触するように前記位置決め部を付勢し、前記固定部と前記カメラバック部との間隔が狭くなるにしたがって付勢する力が増加する第１付勢部と、
を備える電子カメラバック。
【請求項２】
請求項１に記載の電子カメラバックにおいて、
前記固定部と前記カメラバック部との間隔が狭くなると弾性力が増加して、前記第１付勢部の付勢する力を増加させる第１弾性部を備える電子カメラバック。
【請求項３】
請求項１または２に記載の電子カメラバックにおいて、
前記開口部の第２の辺に接触するように前記位置決め部を付勢し、前記固定部と前記カメラバック部との間隔が狭くなるにしたがって付勢する力が増加する第２付勢部を備える電子カメラバック。
【請求項４】
請求項３に記載の電子カメラバックにおいて、
前記固定部と前記カメラバック部との間隔が狭くなると弾性力が増加して、前記第２付勢部の付勢する力を増加させる第２弾性部を備える電子カメラバック。
【請求項５】
請求項３または４に記載の電子カメラバックにおいて、
前記第１付勢部は、前記位置決め部の第１の面を前記開口部の前記第１の辺に接触するように付勢する電子カメラバック。
【請求項６】
請求項５に記載の電子カメラバックにおいて、
前記第２付勢部は、前記位置決め部の前記第１の面と異なる第２の面を前記開口部の前記第２の辺に接触させるように付勢する電子カメラバック。
【請求項７】
請求項５または６に記載の電子カメラバックにおいて、
前記開口部の前記第１の辺の長さは前記第２の辺の長さよりも長く、前記位置決め部において前記第１の辺に接触する部位の長さは前記第２の辺に接触する部位の長さよりも長い電子カメラバック。
【請求項８】
請求項１〜７のいずれか一項に記載の電子カメラバックにおいて、
前記カメラボディに設けられているフィルムガイド部材に接触し、前記フィルムガイド部材と前記撮像素子の撮像面との間が所定の距離となるように保持する保持部を備える電子カメラバック。
【発明の詳細な説明】
【技術分野】
【０００１】
本発明は、電子カメラバックに関する。
【背景技術】
【０００２】
カメラボディに備えられた裏蓋に代えて、撮像素子を備えたカメラバックをカメラボディに装着することにより、カメラボディ側の撮影光学系によって得られる被写体像を撮像して電子画像データを得るカメラバック交換式カメラが知られている（特許文献１参照）。  
【０００３】
この特許文献１に記載のカメラバックでは、撮像素子の位置を移動させる移動機構と撮像素子の位置を検出する位置検出センサとが設けられ、位置検出センサの出力に基づいて移動機構が撮像素子を移動させることにより、カメラボディ側の撮影光学系に対する撮像素子の位置決めを行っている。
【先行技術文献】
【特許文献】
【０００４】
【特許文献１】特開平９−３３１４７５号公報
【発明の概要】
【発明が解決しようとする課題】
【０００５】
従来の技術では、撮像素子の位置を検出する位置検出センサを設けなければならず、構成が複雑になるという問題があった。
【課題を解決するための手段】
【０００６】
本発明による電子カメラバックは、カメラボディに装着する電子カメラバックにおいて、カメラボディに装着された状態で、カメラボディの矩形状の開口部を通過した光による被写体像を撮像する撮像素子と、撮像素子を固定する固定部と、固定部に設けられた位置決め部と、固定部と間隔をもって配置されたカメラバック部と、開口部の第１の辺に接触するように位置決め部を付勢し、固定部とカメラバック部との間隔が狭くなるにしたがって付勢する力が増加する第１付勢部と、を備える。
【発明の効果】
【０００７】
本発明による電子カメラバックでは、簡易な構成により、カメラボディ側の撮影光学系に対して撮像素子を位置決めできる。
【図面の簡単な説明】
【０００８】
【図１】カメラの方向および座標系に関する説明図である。
【図２】本発明の一実施の形態による電子カメラバックと組合わせる銀塩フィルムカメラを例示する正面図である。
【図３】図２に例示した銀塩フィルムカメラの背面図である。
【図４】裏蓋を開放した銀塩フィルムカメラの背面図である。
【図５】本実施形態による電子カメラバックを例示する図である。
【図６】図５に例示した電子カメラバックの断面図である。
【図７】図５に例示した電子カメラバックの断面図である。
【図８】図５に例示した電子カメラバックを図２に例示した銀塩フィルムカメラに装着したときの断面図である。
【図９】図５に例示した電子カメラバックを図２に例示した銀塩フィルムカメラに装着したときの断面図である。
【発明を実施するための形態】
【０００９】
以下、図面を参照して本発明を実施するための形態について説明する。まず本発明で使用する、カメラの方向および座標系に関して説明する。図１は、一般的な３５ｍｍ一眼レフカメラ（銀塩フィルムカメラとする）を例示する斜視図である。図１において、カメラの光軸に平行な方向をＺ軸、フィルムが給送される方向に平行な方向をＸ軸、Ｘ軸およびＺ軸に直角な方向をＹ軸と定義する。また、Ｘ軸を軸とする回転方向をピッチング方向、Ｙ軸を軸とする回転方向をヨーイング方向、Ｚ軸を軸とする回転方向をローリング方向と定義する。
【００１０】
図２は、本発明の一実施の形態による電子カメラバックと組合わせる銀塩フィルムカメラを例示する正面図である。図２において、銀塩フィルムカメラのカメラボディ２に撮影レンズ１が装着されている。撮影レンズ１は、被写体画像を感光部材（フィルム、電子カメラバック内の撮像素子）に結像させるためのレンズ、および絞りを有する。
【００１１】
カメラボディ２は、撮影レンズ１が装着された状態で光密性を保つように構成される。カメラボディ２の上面には、レリーズボタン３、巻き上げレバー４、および巻き戻しノブ５が備えられている。カメラボディ２は、感光部材を所定時間露光させるため、公知のシャッタ機構を有しており、撮影準備が整った状態でレリーズボタン３が押下操作されると、上記シャッタ機構がシャッタ幕を走行開始させ、感光部材を所定時間露光させる。
【００１２】
巻き上げレバー４は、フィルムを１コマ分巻き上げる際に操作される。カメラボディ２は、フィルム巻き上げとともにシャッタ機構の駆動のための準備動作を行うように構成される。これにより、次にレリーズボタン３が押下操作された場合のシャッタレリーズ動作が可能になる。
【００１３】
巻き戻しノブ５は、カメラボディ２に装填されているフィルムパトローネ内に、撮影済みフィルムを全て巻き入れて該パトローネを取り出し可能にするために操作される。また、巻き戻しノブ５が上方に所定量引き出されると、後述する裏蓋７が開くように構成されている。
【００１４】
図３は、図２に例示した銀塩フィルムカメラの背面図である。図３において、カメラボディ２には、ファインダー接眼窓６、および裏蓋７が備えられている。撮影者は、接眼窓６からファインダーによる光学像を観察する。裏蓋７は、上述したように巻き戻しノブ５の引き上げ操作によって開放される。フィルムパトローネの装填および取り出しは、裏蓋７が開放された状態で行われる。
【００１５】
図４は、裏蓋７を開放した状態を例示する銀塩フィルムカメラの背面図である。図４において、裏蓋７は蝶番１７を軸に回動自在に構成される。裏蓋７の内側には、圧板８が設けられている。圧板８は、その表面が高い平面度と摺動性とを備えるように加工されている。裏蓋カギ１６は、カメラボディ２のパトローネ室１２側に設けられた裏蓋カギ１３と裏蓋７が閉じられた状態で係合する。
【００１６】
外レール９ａおよび９ｂは、それぞれ開口部１１の下側と上側に配設される。両レール９ａおよび９ｂは、撮影レンズ１の光軸方向に対して互いに等価な位置に設けられる。裏蓋７が閉じられると、外レール９ａおよび９ｂは上記圧板８と密着するように構成される。内レール１０ａおよび１０ｂは、それぞれの高さが外レール９ａおよび９ｂより僅かに低く、かつ撮影レンズ１の光軸寄りで、該光軸方向に対して互いに等価な位置に設けられる。内レール１０ａが開口部１１の下側に、内レール１０ｂが開口部１１の上側に位置する。  
【００１７】
内レール１０ａおよび１０ｂが外レール９ａおよび９ｂより僅かに低い（撮影レンズ１側に設けられる）ため、裏蓋７が閉じられた状態で内レール１０ａおよび１０ｂと圧板８との間に僅かな空間が得られる。この空間をフィルムが高い平面度を維持しながら給送される。なお、内レール１０ａおよび１０ｂ、外レール９ａおよび９ｂは、撮影レンズ１に対して、Ｚ方向位置、ピッチング方向の傾き、およびヨーイング方向の傾きが適切となるように、位置決めされている。
【００１８】
開口部１１は、撮影レンズ１による像をフィルム上に写す範囲を決定する。この開口部１１は、矩形の開口であり、上辺１１ａ、下辺１１ｂ、左辺１１ｃ、右辺１１ｄの四辺で構成される。なお、上辺１１ａおよび下辺１１ｂが長辺であり、左辺１１ｃおよび右辺１１ｄが短辺である。開口部１１は、撮影レンズ１に対して、Ｘ方向位置、Ｙ方向位置、およびローリング方向の傾きが適切となるように、位置決めされている。また、図４においては、開口部１１を説明するためにシャッタ幕の図示を省略している。実際上、シャッタ幕は、撮影レンズ１側から開口部１１を塞ぐように設けられている。
【００１９】
パトローネ室１２は、フィルムパトローネを装填するスペースである。裏蓋カギ１３は、巻き戻しノブ５の引き上げに連動して上方へ移動し、裏蓋カギ１６との係合を解除する。この係合解除によって裏蓋７が開かれる。
【００２０】
スプロケット１４およびスプール１５は、巻き上げレバー４の操作に連動して回転する。スプロケット１４は回転によってフィルム１コマ分送り、スプール１５はスプロケット１４によって送られたフィルムを弛みなく巻き上げる。
【００２１】
図５は、本実施形態による電子カメラバック１０１を例示する図である。電子カメラバック１０１は、図２および図３に例示した裏蓋７に代えて装着される。図５において、蝶番１７および裏蓋カギ１６は、裏蓋７に設けられていた蝶番１７および裏蓋カギ１６と同様のものである。電子カメラバック１０１では、裏蓋７における圧板８と異なり、撮像素子１０３を保持する撮像素子保持板１０２がカメラバック本体１０１ａに配設される。撮像素子１０３は、撮像素子保持板１０２に対し固定されている。電子カメラバック１０１をカメラボディ２に装着してカメラボディ２側の裏蓋カギ１３と裏蓋カギ１６とを係合させると、撮像素子１０３が開口部１１と対向する。
【００２２】
蝶番１７は、上部に可動ピン１７ａを有し、下部に固定ピン１７ｂを有する。ピン１７ａおよびピン１７ｂがカメラボディ２側の穴に嵌入された状態で、これらのピン１７ａおよび１７ｂを軸に電子カメラバック１０１が回動する。可動ピン１７ａは、通常、不図示のばねによって上方へ押し上げられている。長穴部１７ｄから出るピン１７ｃを上記ばねに抗して下方へ押し下げると、可動ピン１７ａが下方に退避するので、電子カメラバック１０１がカメラボディ２に対して着脱可能となる。なお、図４において詳述しなかったが、裏蓋７の蝶番１７にも同様の着脱機構が設けられている。
【００２３】
撮像素子保持板１０２には、電子カメラバック１０１をカメラボディ２に装着したときに撮像素子１０３を位置決めするための位置決め凸部１０２ａが、撮像素子１０３の上側に設けられている。位置決め凸部１０２ａは、略直方体状であり、カメラボディ２側に向かって突出している。位置決め凸部１０２ａは、その上側面がＹ方向の位置決めを行うＹ位置決め部１０２ｂとして機能し、その左側面（蝶番１７側の面）がＸ方向の位置決めを行うＸ位置決め部１０２ｃとして機能する。Ｙ位置決め部１０２ｂのＸ方向における長さは、開口部１１の上辺１１ａよりも短いものの、十分な長さを有するよう構成される。一方、Ｘ位置決め部１０２ｃのＹ方向における長さは、撮像素子１０３の上部に当たらないよう十分短く構成される。なお、Ｙ位置決め部１０２ｂのＸ方向における長さは、Ｘ位置決め部１０２ｃのＹ方向における長さよりも長く構成されている。
【００２４】
Ｙ位置決め部１０２ｂを開口部１１の上辺１１ａに当接させ、Ｘ位置決め部１０２ｃを開口部１１の左辺１１Ｃに当接させると、開口部１１と撮像素子保持板１０２との間の位置決めがなされる。撮像素子保持板１０２がこのように位置決めされた状態で、画素並び方向がカメラボディ２のＸＹ方向と平行、且つ撮像面の所定位置（たとえば略中心）が撮影レンズ１の光軸と一致するように、撮影保持板１０２に対する撮像素子１０３の取り付け位置があらかじめ調整されている。
【００２５】
また撮像素子保持板１０２には、撮像素子１０３の下側に穴部１０２ｄが設けられ、位置決め凸部１０２ａの右側に穴部１０２ｅが設けられている。
【００２６】
さらに撮像素子保持板１０２には、撮像素子１０３のＺ方向の位置決めをするためのＺ方向調整ねじ１０４、１０５、１０６が設置されている。具体的には、Ｚ方向調整ねじ１０４は撮像素子保持板１０２の下部中央、Ｚ方向調整ねじ１０５は撮像素子保持板１０２の右上隅、Ｚ方向調整ねじ１０６は撮像素子保持板１０２の左上隅にそれぞれ設置されている。またＺ方向調整ねじ１０４〜１０６は、電子カメラバック１０１をカメラボディ２に対して閉じたときに、Ｚ方向調整ねじ１０４が内レール１０ａに当接し、且つＺ方向調整ねじ１０５、１０６が内レール１０ｂと当接するように、ＸＹ方向の位置が調整されている。
【００２７】
図６は、本実施形態による電子カメラバック１０１を、図５に示す断面Ａ−Ａで切った断面図である。撮像素子１０３の内部には、撮像素子チップ１０３ａが設置されている。撮像素子チップ１０３ａは、その撮像面１０３ｂで撮影レンズ１（図２）により結像された像を電気的な画像情報に変換するものであり、その変換は所定の大きさの矩形の範囲のみで行われる。撮像素子１０３には、撮像素子チップ１０３ａを保護するためのガラス板１０３ｃが設けられている。
【００２８】
Ｚ方向調整ねじ１０４〜１０６（図６においてＺ方向調整ねじ１０５は不図示）は、撮像素子保持板１０２に対し、Ｚ方向に平行な方向にねじ込まれている。例えば電子カメラバック１０１の組み立て時において、これらＺ方向調整ねじ１０４〜１０６は、右方からドライバー等で回転されることにより、その先端部が撮像素子保持板１０２に相対して出入する。そして、これら３本のＺ方向調整ねじ１０４〜１０６の先端部で構成される仮想平面をカメラボディ２の内レール１０ａ、１０ｂで構成される仮想平面（すなわちフィルムが給送される面）に一致させたときに、撮像面１０３ｂが撮影レンズ１によるフィルムでの本来の結像面と光学的に等価な位置となるように、Ｚ方向調整ねじ１０４〜１０６の先端部の突出量が調整される。このように調整された状態で、Ｚ方向調整ねじ１０４〜１０６は、たとえば接着剤等により撮像素子保持板１０２に対して固着される。
【００２９】
前述のように、位置決め凸部１０２ａの上側面は、Ｙ位置決め部１０２ｂとして機能する。Ｙレバー１０７は、その端部１０７ａが撮像素子保持板１０２の穴部１０２ｄを通ってカメラボディ２側に向かって突出するように設けられ、軸１０７ｂによりＸ方向に平行な軸で撮像素子保持板１０２に対して回転可能に軸支される。またＹレバー１０７は、立ち曲げ部１０７ｃを有し、ねじりばね１０８により右旋力が与えられる。しかし、Ｙレバー１０７の凸部１０７ｄが撮像素子保持板１０２の穴部１０２ｄの上部に当接することにより、Ｙレバー１０７は、右旋を制限され、凸部１０７ｄが穴部１０２ｄの上部に当接する位置に保持される。
【００３０】
板ばね１０９は、その一端が電子カメラバック１０１のカメラバック本体１０１ａに固着されており、その他端がカメラバック本体１０１ａとＹレバー１０７の立ち曲げ部１０７ｃとの間に位置するように保持されている。
【００３１】
円錐コイルばね１１０は、その大コイル径側がカメラバック本体１０１ａに固着され、その小コイル径側が撮像素子保持板１０２に固着されている。円錐コイルばね１１０は、Ｚ方向に平行でカメラボディ２に向かう方向に撮像素子保持板１０２を付勢しているが、ＸＹ方向にも動きの自由度を有している。したがって撮像素子保持板１０２は、円錐コイルばね１１０によって、カメラバック本体１０１ａに対するＸＹＺ方向の動きの自由度を有しながらカメラバック本体１０１ａに保持されている。
【００３２】
図７は、本実施形態による電子カメラバック１０１を、図５に示す断面Ｂ−Ｂで切った断面図である。前述のように位置決め凸部１０２ａの左側面は、Ｘ位置決め部１０２ｃとして機能する。Ｘレバー１１７は、その端部１１７ａが撮像素子保持板１０２の穴部１０２ｅを通ってカメラボディ２側に突出するように設けられ、軸１１７ｂによりＹ方向に平行な軸で撮像素子保持板１０２に対して回転可能に軸支される。またＸレバー１１７は、立ち曲げ部１１７ｃを有し、ねじりばね１１８により左旋力が与えられる。しかし、Ｘレバー１１７の凸部１１７ｄが撮像素子保持板１０２の穴部１０２ｅの左部に当接することにより、Ｘレバー１１７は、左旋を制限され、凸部１１７ｄが穴部１０２ｅの左部に当接する位置に保持される。
【００３３】
板ばね１１９は、その一端が電子カメラバック１０１のカメラバック本体１０１ａに固着されており、その他端がカメラバック本体１０１ａとＸレバー１１７の立ち曲げ部１１７ｃとの間に位置するように保持されている。
【００３４】
次に、カメラボディ２に電子カメラバック１０１を装着した場合の動作について説明する。前述の蝶番１７による着脱機構を利用してカメラボディ２に装着された電子カメラバック１０１を閉じると、裏蓋カギ１６がカメラボディ２側の裏蓋カギ１３に係合し電子カメラバック１０１が閉じた状態で保持される。この状態においてカメラボディ２の光密性が保持される。
【００３５】
図８はこのように電子カメラバック１０１を閉じた状態において図６と同様の断面（図５に示す断面Ａ−Ａ）で切った断面図を示す。電子カメラバック１０１を閉じると、Ｚ方向調整ねじ１０４の先端部がカメラボディ２の内レール１０ａに当接し、Ｚ方向調整ねじ１０５、１０６の先端部がカメラボディ２の内レール１０ｂにそれぞれ当接する。なお、Ｚ方向調整ねじ１０５については、断面の都合上図８において不図示である。
【００３６】
このように電子カメラバック１０１を閉じ、Ｚ方向調整ねじ１０４〜１０６が内レール１０ａ、１０ｂに当接した状態で、撮像素子保持板１０２とカメラバック本体１０１ａとが近づけられ円錐コイルばね１１０がたわむように構成されている。これにより、円錐コイルばね１１０が、内レール１０ａ、１０ｂに対する押し付け力を撮像素子保持板１０２に与えるので、Ｚ方向調整ねじ１０４〜１０６および内レール１０ａ、１０ｂ間の安定した当接状態が保持される。
【００３７】
前述のように、Ｚ方向調整ねじ１０４〜１０６の先端部で構成される仮想平面をカメラボディ２の内レール１０ａ、１０ｂで構成される仮想平面（すなわちフィルムが給送される面）と一致させたときに、撮像面１０３ｂが撮影レンズ１によるフィルムでの本来の結像面と光学的に等価な位置となるように、Ｚ方向調整ねじ１０４〜１０６の先端部の突出量があらかじめ調整されている。したがって、Ｚ方向調整ねじ１０４〜１０６の先端部が内レール１０ａ、１０ｂに当接することにより、撮像面１０３ｂが撮影レンズ１によるフィルムでの本来の結像面と光学的に等価な位置に設置された状態で、撮像素子１０３が位置決めされる。すなわち撮像素子１０３が、撮影レンズ１に対し、Ｚ方向、ヨーイング方向、およびピッチング方向において適切に位置決めされる。
【００３８】
また電子カメラバック１０１を閉じると、Ｙ位置決め部１０２ｂおよびＹレバー１０７の端部１０７ａが、カメラボディ２の開口部１１に入り込む。なお、このときＹ位置決め部１０２ｂおよびＹレバー１０７の端部１０７ａがシャッタ幕の動きを妨げないように、Ｙ位置決め部１０２ｂおよびＹレバー１０７の大きさがあらかじめ決められている。
【００３９】
前述のようにカメラバック本体１０１ａと撮像素子保持板１０２とが近づくことにより、板ばね１０９がＹレバー１０７の立ち曲げ部１０７ｃに当接する。ここで、Ｙレバー１０７に対する板ばね１０９の左旋力がねじりばね１０８の右旋力よりも大きくなるように構成されていることにより、板ばね１０９の左旋力がＹレバー１０７を左旋させる。これにより、Ｙレバー１０７の端部１０７ａが、開口部１１の下辺１１ｂに当接して撮像素子保持板１０２を上方向に付勢し、撮像素子保持板１０２のＹ位置決め部１０２ｂを開口部１１の上辺１１ａに当接させる。この当接後は、板ばね１０９がたわむことによって各当接部分での過負荷を防止する。
【００４０】
図９は電子カメラバック１０１をカメラボディ２に対して閉じた状態において図７と同様の断面（図５に示す断面Ｂ−Ｂ）で切った断面図を示す。電子カメラバック１０１を閉じると、Ｘ位置決め部１０２ｃおよびＸレバー１１７の端部１１７ａが、カメラボディ２の開口部１１に入り込む。なお、このときＸ位置決め部１０２ｃおよびＸレバー１１７の端部１１７ａがシャッタ幕の動きを妨げないように、Ｘ位置決め部１０２ｃおよびＸレバー１１７の大きさがあらかじめ決められている。
【００４１】
前述のようにカメラバック本体１０１ａと撮像素子保持板１０２とが近づくことにより、板ばね１１９がＸレバー１１７の立ち曲げ部１１７ｃに当接する。ここで、Ｘレバー１１７に対する板ばね１１９の右旋力がねじりばね１１８の左旋力よりも大きくなるように構成されていることにより、板ばね１１９の右旋力がＸレバー１１７を右旋させる。これにより、Ｘレバー１１７の端部１１７ａが、開口部１１の右辺１１ｄに当接して撮像素子保持板１０２を左方向に付勢し、撮像素子保持板１０２のＸ位置決め部１０２ｃを開口部１１の左辺１１ｃに当接させる。この当接後は、板ばね１１９がたわむことによって各当接部分での過負荷を防止する。
【００４２】
前述のように、撮影保持板１０２に対する撮像素子１０３の取り付け位置は、撮像素子保持板１０２が位置決めされた状態で、画素並び方向がカメラボディ２のＸＹ方向と平行、且つ撮像面１０３ｂの所定位置が撮影レンズ１の光軸と一致するようにあらかじめ調整されている。したがって、Ｙ位置決め部１０２ｂが付勢されて開口部１１の上辺１１ａに当接し、且つＸ位置決め部１０２ｃが付勢されて開口部１１の左辺１１ｃに当接することにより、撮像素子１０３は、撮像面１０３ｂの所定位置と撮像レンズ１の光軸が一致し、且つ撮像面１０３ｂの画素並び方向がカメラボディ２のＸＹ方向と平行である状態に位置決めされる。すなわち、撮像素子１０３が、撮影レンズ１に対し、Ｘ方向、Ｙ方向、およびローリング方向において適切に位置決めされる。
【００４３】
なお円錐コイルばね１１０による押し付け力は、開口部１１の上辺１１ａおよびＹ位置決め部１０２ｂの当接による摩擦力と、開口部１１の下辺１１ｂおよびＹレバー１０７の端部１０７ａの当接による摩擦力と、開口部１１の左辺１１ｃおよびＸ位置決め部１０２ｃとの当接による摩擦力と、開口部１１の右辺１１ｄおよびＸレバー１１７の端部１１７ａの当接による摩擦力との合計よりも大きくなるように構成されている。これにより、Ｚ方向調整ねじ１０４は内レール１０ａと確実に当接し、Ｚ方向調整ねじ１０５、１０６は内レール１０ｂと確実に当接する。
【００４４】
以上説明した実施形態によれば、次の作用効果が得られる。
（１）電子カメラバック１０１は、カメラボディ２に着脱自在に装着するための蝶番１７、裏蓋カギ１６と、該蝶番１７、裏蓋カギ１６によってカメラボディ２に装着された状態でカメラボディ２側の撮影レンズ１による被写体像を撮像して画像信号を出力する撮像素子１０３と、撮像素子１０３が固定される撮像素子保持板１０２と、撮像素子保持板１０２に設けられた位置決め凸部１０２ａと、位置決め凸部１０２ａを開口部１１の上辺１１ａに当接させるように付勢するＹレバー１０７、板ばね１０９と、を備えるので、電子カメラバック１０１が装着されることを予定していないカメラと組み合わせた場合にも、簡易な構成により、撮像素子１０３をカメラボディ２側の撮影光学系（撮影レンズ１）に対して位置決めすることができる。
【００４５】
（２）上記（１）の電子カメラバック１０１において、位置決め凸部１０２ａを開口部１１の上辺１１ａと交わる左辺１１ｃに当接させるように付勢するＸレバー１１７、板ばね１１９をさらに備えるように構成したので、カメラボディ２のＹ方向にくわえ、Ｘ方向においても、撮像素子１０３を位置決めすることができる。
【００４６】
（３）上記（２）の電子カメラバック１０１において、Ｙレバー１０７、板ばね１０９は、位置決め凸部１０２ａの上側面（Ｙ位置決め部１０２ｂ）を開口部１１の上辺１１ａに当接させるように付勢するので、カメラボディ２のＸ方向、Ｙ方向にくわえ、ローリング方向においても、撮像素子１０３を位置決めすることができる。
【００４７】
（４）上記（３）の電子カメラバック１０１において、Ｘレバー１１７、板ばね１１９は、位置決め凸部１０２ａの上側面と異なる左側面（Ｘ位置決め部１０２ｂ）を開口部１１の左辺１１ｃに当接させるように付勢するので、カメラボディ２のＸ方向、Ｙ方向、ローリング方向において、撮像素子１０３を精度よく位置決めすることができる。
【００４８】
（５）上記（３）または（４）の電子カメラバック１０１において、開口部１１の上辺１１ａは左辺１１ｃよりも長く、位置決め凸部１０２において該上辺１１ａに当接する部位（Ｙ位置決め部１０２ｂ）の長さは該左辺１１ｃに当接する部位（Ｘ位置決め部１０２ｃ）の長さよりも長くなるように構成したので、カメラボディ２側の撮影光学系（撮影レンズ１）に対して撮像素子１０３を精度よく位置決めすることができる。
【００４９】
（６）上記（１）〜（５）の電子カメラバック１０１において、カメラボディ２に設けられている内レール１０ａ、１０ｂに当接し、内レール１０ａ、１０ｂと撮像素子１０３の撮像面１０３ｂとの間が所定の距離となるように保持するＺ方向調整ねじ１０４、１０５、１０６をさらに備えるように構成したので、カメラボディ２のＺ方向（撮影レンズ１の光軸方向）、ピッチング方向、ヨーイング方向において、撮像素子１０３を位置決めすることができる。
【００５０】
（変形例１）
前述したねじりばね１０８、１１８の代わりに、たとえば、コイルばね、板ばねなどを用いることによって、Ｙレバー１０７、Ｘレバー１１７を付勢する構成にしてもよい。
【００５１】
（変形例２）
電子カメラバック１０１をカメラボディ２に対して閉じたときに、Ｙレバー１０７、Ｘレバー１１７を付勢する構成として、前述した板ばね１０９、１１９の代わりに、たとえばコイルばねなどを用いてもよい。
【００５２】
（変形例３）
前述したＹレバー１０７、板ばね１０９の代わりに、たとえばマグネットなどの磁力によって、Ｙ位置決め部１０２ｂを開口部１１の上辺１１ａに当接させる付勢力を発生させる構成にしてもよい。同様に、前述したＸレバー１０７、板ばね１１９の代わりに、たとえばマグネットなどの磁力によって、Ｘ位置決め部１０２ｃを開口部１１の左辺１１ｃに当接させる付勢力を発生させる構成にしてもよい。
【００５３】
以上の説明はあくまで一例であり、上記の実施形態の構成に何ら限定されるものではない。
【符号の説明】
【００５４】
１…撮影レンズ
２…カメラボディ
３…レリーズボタン
７…裏蓋
１０ａ、１０ｂ…内レール
１１…開口部
１６…裏蓋カギ
１７…蝶番
１０１…電子カメラバック
１０２…撮像素子保持板
１０２ａ…位置決め凸部
１０３…撮像素子
１０４、１０５、１０６…Ｚ方向調整ねじ
１０７…Ｙレバー
１０８、１１８…ねじりばね
１０９、１１９…板ばね
１１０…円錐コイルばね
１１７…Ｘレバー
【図１】
0005779976.tif 000002
【図２】
0005779976.tif 000003
【図３】
0005779976.tif 000004
【図４】
0005779976.tif 000005
【図５】
0005779976.tif 000006
【図６】
0005779976.tif 000007
【図７】
0005779976.tif 000008
【図８】
0005779976.tif 000009
【図９】
0005779976.tif 000010